(57)【要約】  コネクタは、流路を区画する筒状をなすとともに他のコネクタのメスコネクタ部に接続可能なオスコネクタ部と、前記オスコネクタ部より該オスコネクタ部の径方向外側に配置され、前記オスコネクタ部に対して相対的に、前記オスコネクタ部の筒軸線方向に移動可能な可動部と、前記可動部を前記オスコネクタ部の筒軸線方向基端側に付勢する付勢部と、を備え、前記可動部は、前記他のコネクタに係止可能な係止部を有する。
2018062551.tif 000002
【特許請求の範囲】
【請求項１】
流路を区画する筒状をなすとともに他のコネクタのメスコネクタ部に接続可能なオスコネクタ部と、
前記オスコネクタ部より該オスコネクタ部の径方向外側に配置され、前記オスコネクタ部に対して相対的に、前記オスコネクタ部の筒軸線方向に移動可能な可動部と、
前記可動部を前記オスコネクタ部の筒軸線方向基端側に付勢する付勢部と、を備え、
前記可動部は、前記他のコネクタに係止可能な係止部を有するコネクタ。
【請求項２】
前記オスコネクタ部より前記筒軸線方向基端側に配置されるとともに前記オスコネクタ部に連なる基部を備え、
前記可動部は、
前記オスコネクタ部に対して相対的に、前記筒軸線方向に移動可能となるように前記基部に装着された装着部と、
前記装着部と前記係止部とを連結する連結部と、を有する、請求項１に記載のコネクタ。
【請求項３】
前記装着部は、前記基部を前記オスコネクタ部の周方向に少なくとも部分的に包囲することによって前記基部に装着される包囲体である、請求項２に記載のコネクタ。
【請求項４】
前記連結部は、前記筒軸線方向基端側から前記メスコネクタ部に対して押圧されることで前記連結部を弾性変形させて前記係止部を前記径方向外側へ移動させるメスコネクタ押圧部を有する、請求項２又は３に記載のコネクタ。
【請求項５】
前記メスコネクタ押圧部は、前記オスコネクタ部の筒軸線方向先端側に向けて前記径方向外側に傾斜する傾斜部である、請求項４に記載のコネクタ。
【請求項６】
前記基部には、前記径方向外側に突出する突片が設けられており、
前記連結部は、前記筒軸線方向基端側から前記突片に押圧されることで前記連結部を弾性変形させて前記係止部を前記径方向外側へ移動させる突片押圧部を有する、請求項２〜５のいずれか一項に記載のコネクタ。
【請求項７】
前記付勢部は、前記突片と前記装着部との間に配置されたコイルスプリングである、請求項６に記載のコネクタ。
【請求項８】
前記連結部は、前記筒軸線方向に延びる少なくとも１本のアームを有し、
前記少なくとも１本のアームにおける前記筒軸線方向先端側の部分には、それぞれ、前記係止部が配置されている、請求項２〜７のいずれか一項に記載のコネクタ。
【請求項９】
流路を区画する筒状をなすオスコネクタ部と、前記オスコネクタ部より該オスコネクタ部の径方向外側に配置され、係止部を有する可動部と、前記可動部を前記オスコネクタ部の筒軸線方向基端側に付勢する付勢部と、を備えるコネクタの使用方法であって、
前記オスコネクタ部を、他のコネクタが有するメスコネクタ部に接続させる接続ステップと、
前記可動部を前記オスコネクタ部に対して相対的に、前記オスコネクタ部の筒軸線方向先端側に移動させる移動ステップと、
前記付勢部の付勢力により前記係止部を前記他のコネクタに係止させる係止ステップと、を含む、コネクタの使用方法。
【発明の詳細な説明】
【技術分野】
【０００１】
本開示は、コネクタ及びコネクタの使用方法に関する。
【背景技術】
【０００２】
従来、患者等の生体に薬液等の液体を注入するための輸液セットや、その他の医療用器具などにおいて、流路を形成するためにコネクタが使用されている。このようなコネクタは、通常、別のコネクタに取付けられる。具体的には、一方のコネクタに設けられたオスコネクタ部を、他方のコネクタに設けられたメスコネクタ部に接続することにより、取付けられる。そのような取付け時にコネクタの接続状態を良好に保持できるようにしたものとして、コネクタ同士をねじ部によって固定するルアーロック方式のコネクタや、係止部を他のコネクタに係止するコネクタ（例えば、特許文献１参照）が知られている。
【先行技術文献】
【特許文献】
【０００３】
【特許文献１】特開２００４−４８３号公報
【発明の概要】
【発明が解決しようとする課題】
【０００４】
前述したようなルアーロック方式のコネクタは、経時、衝撃等により、ねじ部が緩んで接続部の緩みや外れが発生するおそれがあった。他のコネクタがカテーテルのハブである場合等においては、接続部の緩み、外れによるリスクは大きくなる。特許文献１に記載されるような係止部を備える従来のコネクタは、接続対象となる他のコネクタの形状や構造等の条件が比較的厳しく、汎用性の向上が望まれていた。【０００５】
本開示は、このような問題に鑑み、経時、衝撃等による接続部の緩みや外れの発生を抑制できるとともに、汎用性を向上することができるコネクタを提供することを目的とする。本開示は、そのようなコネクタを他のコネクタに有利に取付けることができる、コネクタの使用方法を提供することを目的とする。
【課題を解決するための手段】
【０００６】
本発明の一態様としてのコネクタは、
流路を区画する筒状をなすとともに他のコネクタのメスコネクタ部に接続可能なオスコネクタ部と、
前記オスコネクタ部より該オスコネクタ部の径方向外側に配置され、前記オスコネクタ部に対して相対的に、前記オスコネクタ部の筒軸線方向に移動可能な可動部と、
前記可動部を前記オスコネクタ部の筒軸線方向基端側に付勢する付勢部と、を備え、
前記可動部は、前記他のコネクタに係止可能な係止部を有する。【０００７】
本発明の１つの実施形態として、前記コネクタは、
前記オスコネクタ部より前記筒軸線方向基端側に配置されるとともに前記オスコネクタ部に連なる基部を備え、
前記可動部は、
前記オスコネクタ部に対して相対的に、前記筒軸線方向に移動可能となるように前記基部に装着された装着部と、
前記装着部と前記係止部とを連結する連結部と、を有する。【０００８】
本発明の１つの実施形態として、前記装着部は、前記基部を前記オスコネクタ部の周方向に少なくとも部分的に包囲することによって前記基部に装着される包囲体である。【０００９】
本発明の１つの実施形態として、前記連結部は、前記筒軸線方向基端側から前記メスコネクタ部に対して押圧されることで前記連結部を弾性変形させて前記係止部を前記径方向外側へ移動させるメスコネクタ押圧部を有する。【００１０】
本発明の１つの実施形態として、前記メスコネクタ押圧部は、前記オスコネクタ部の筒軸線方向先端側に向けて前記径方向外側に傾斜する傾斜部である。【００１１】
本発明の１つの実施形態として、
前記基部には、前記径方向外側に突出する突片が設けられており、
前記連結部は、前記筒軸線方向基端側から前記突片に押圧されることで前記連結部を弾性変形させて前記係止部を前記径方向外側へ移動させる突片押圧部を有する。【００１２】
本発明の１つの実施形態として、前記付勢部は、前記突片と前記装着部との間に配置されたコイルスプリングである。【００１３】
本発明の１つの実施形態として、
前記連結部は、前記筒軸線方向に延びる少なくとも１本のアームを有し、
前記少なくとも１本のアームにおける前記筒軸線方向先端側の部分には、それぞれ、前記係止部が配置されている。【００１４】
本発明の一態様としてのコネクタの使用方法は、
流路を区画する筒状をなすオスコネクタ部と、前記オスコネクタ部より該オスコネクタ部の径方向外側に配置され、係止部を有する可動部と、前記可動部を前記オスコネクタ部の筒軸線方向基端側に付勢する付勢部と、を備えるコネクタの使用方法であって、
前記オスコネクタ部を、他のコネクタが有するメスコネクタ部に接続させる接続ステップと、
前記可動部を前記オスコネクタ部に対して相対的に、前記オスコネクタ部の筒軸線方向先端側に移動させる移動ステップと、
前記付勢部の付勢力により前記係止部を前記他のコネクタに係止させる係止ステップと、を含む。
【発明の効果】
【００１５】
本開示によれば、経時、衝撃等による接続部の緩みや外れの発生を抑制できるとともに、汎用性を向上することができるコネクタを提供することができる。本開示によれば、そのようなコネクタを他のコネクタに有利に取付けることができる、コネクタの使用方法を提供することができる。
【図面の簡単な説明】
【００１６】
【図１】本発明の一実施形態に係るコネクタを他のコネクタの一例と共に示す斜視図である。
【図２】図１に示すコネクタの分解斜視図である。
【図３】図１に示すコネクタの他の方向から見た分解斜視図である。
【図４】図１に示すコネクタを、図１に示す他のコネクタに取付ける要領を示す縦断面図であり、オスコネクタ部をメスコネクタ部に接続させる前の状態を示す。
【図５】図４の状態からオスコネクタ部をメスコネクタ部に接続させた状態を示す。
【図６】図５の状態から可動部を移動させ、係止部を他のコネクタに係止させることにより、コネクタの取付けを完了した状態を示す。
【図７】図６の状態におけるコネクタ及び他のコネクタを、図６中の矢印Ａの方向に見た図である。
【図８】図１に示すコネクタを、図１に示す他のコネクタから取外す要領を示す縦断面図であり、図７の状態から可動部をさらに移動させ、係止部を径方向外側へ移動させた状態を示す。
【図９】図８の状態から可動部を保持したまま、オスコネクタ部をメスコネクタ部から離脱させることにより、コネクタの取外しを完了した状態を示す。
【図１０】図１に示すコネクタを備える輸液セットの一例を示す図である。
【図１１】本発明の一実施形態としてのコネクタの使用方法を示すフローチャートである。
【発明を実施するための形態】
【００１７】
以下、図面を参照して、本発明の一実施形態に係るコネクタ１及びコネクタの使用方法について、詳細に例示説明する。本明細書において、オスコネクタ部５の筒軸線方向とは、オスコネクタ部５の筒軸線Ｏ１に沿う方向（図４における左右方向）を意味する。オスコネクタ部５の筒軸線方向基端側とは、前記筒軸線方向において、オスコネクタ部５の先端から基端に向かう側（図４における右側）を意味する。オスコネクタ部５の筒軸線方向先端側とは、前記筒軸線方向において、オスコネクタ部５の基端から先端に向かう側（図４における左側）を意味する。オスコネクタ部５の径方向とは、オスコネクタ部５の筒軸線Ｏ１と直交する直線に沿う方向を意味する。オスコネクタ部５の周方向とは、オスコネクタ部５の筒軸線Ｏ１を周回する方向を意味する。単に「筒軸線方向」、「筒軸線方向基端側」、「筒軸線方向先端側」、「径方向」又は「周方向」という場合は、オスコネクタ部５の、「筒軸線方向」、「筒軸線方向基端側」、「筒軸線方向先端側」、「径方向」又は「周方向」を意味する。メスコネクタ部４の「筒軸線方向」とは、メスコネクタ部４の筒軸線Ｏ２に沿う方向を意味し、メスコネクタ部４の「径方向」とは、メスコネクタ部４の筒軸線Ｏ２と直交する直線に沿う方向を意味し、メスコネクタ部４の「周方向」とは、メスコネクタ部４の筒軸線Ｏ２を周回する方向を意味する。縦断面とは、筒軸線Ｏ１又はＯ２を含む平面による断面を意味する。
【００１８】
まず、図１〜図９を参照して、本発明の一実施形態に係るコネクタ１について、詳細に例示説明する。図１〜図４に示すように、本実施形態に係るコネクタ１は、流路２を区画する筒状をなすとともに他のコネクタ３のメスコネクタ部４に接続可能な（図５参照）オスコネクタ部５を備える。コネクタ１は、オスコネクタ部５より該オスコネクタ部５の径方向外側に配置される可動部６を備える。可動部６は、オスコネクタ部５に対して相対的に、オスコネクタ部５の筒軸線方向に移動可能（図５、図６参照）に構成されている。コネクタ１は、可動部６をオスコネクタ部５の筒軸線方向基端側に付勢する付勢部７を備える。可動部６は、他のコネクタ３に係止可能な（図６、図７参照）係止部８を有する。付勢部７は、可動部６を筒軸線方向基端側に常時付勢するように構成されている必要はなく、少なくとも、係止部８が他のコネクタ３に係止しているときに付勢するように構成されていればよい。
【００１９】
コネクタ１は、オスコネクタ部５より筒軸線方向基端側に配置されるとともにオスコネクタ部５に連なる基部９を備える。可動部６は、オスコネクタ部５に対して相対的に、筒軸線方向に移動可能となるように基部９に装着された装着部１０を有する。可動部６は、装着部１０と係止部８とを連結する連結部１１を有する。装着部１０は、図示した場合のように基部９に直接装着されることが好ましい。しかしながら、付勢部７を介して間接的に基部９に装着される構成としてもよい。可動部６は、このように基部９に装着された装着部１０を備える構成に限られない。例えば、付勢部７を、基部９に一体に形成されるとともに径方向外側に延び、筒軸線方向に弾性変形可能な弾性変形部（図示省略）によって構成し、可動部６を、前記弾性変形部に一体に形成されるとともに前記弾性変形部と係止部８とを連結する連結部を有する構成としてもよい。この場合、弾性変形部が、可動部６を筒軸線方向基端側に付勢する付勢部７として機能するので、図示するようなコイルスプリング１２を付勢部７として設ける必要はなくなる。
【００２０】
装着部１０は、基部９をオスコネクタ部５の周方向に少なくとも部分的に包囲することによって基部９に装着される包囲体１３である。包囲体１３は、基部９を全周に亘って包囲するように構成されることが好ましい。しかしながら、装着部１０を包囲体１３によって構成することは必須ではない。例えば、基部９に筒軸線方向に延在する嵌合溝を設け、装着部１０を、当該嵌合溝に脱落不能且つ筒軸線方向に摺動可能に嵌合するように構成してもよい。
【００２１】
連結部１１は、筒軸線方向基端側からメスコネクタ部４に対して押圧されることで連結部１１を弾性変形させて係止部８を径方向外側へ移動させるメスコネクタ押圧部１４を有する。しかしながら、連結部１１がメスコネクタ押圧部１４を有することは必須ではない。例えば、連結部１１に、径方向外側へ突出する摘まみ部を設け、当該摘まみ部の操作によって係止部８を径方向外側へ移動させる構成であってもよい。
【００２２】
メスコネクタ押圧部１４は、オスコネクタ部５の筒軸線方向先端側に向けて径方向外側に傾斜する傾斜部１５である。しかしながら、メスコネクタ押圧部１４は、傾斜部１５でなくてもよい。例えば、メスコネクタ押圧部１４を、筒軸線Ｏ１と垂直な平面によって構成するとともに、他のコネクタ３における、メスコネクタ押圧部１４に押圧される部分が、筒軸線方向先端側に向けて径方向外側に傾斜した形状を有する構成としてもよい。
【００２３】
基部９には、径方向外側に突出する突片１６が設けられており、連結部１１は、図８に示すように、筒軸線方向基端側から突片１６に押圧されることで連結部１１を弾性変形させて係止部８を径方向外側へ移動させる突片押圧部１７を有する。しかしながら、コネクタ１は、このような突片１６及び突片押圧部１７を有さない構成としてもよい。
【００２４】
付勢部７は、突片１６と装着部１０との間に配置されたコイルスプリング１２である。本例では、コイルスプリング１２は、その伸長方向に付勢力を付与するように配置され、筒軸線方向先端部が突片１６と当接しており、筒軸線方向基端部が装着部１０と当接している。しかしながら、コイルスプリング１２は、その圧縮方向に付勢力を付与するように基部９と可動部６との間に配置してもよい。この場合、コイルスプリング１２は、例えば、筒軸線方向基端部が装着部１０より筒軸線方向先端側で基部９に取付けられ、筒軸線方向先端部が可動部６に取付けられる。あるいは、コイルスプリング１２は、筒軸線方向基端部が装着部１０より筒軸線方向基端側で基部９又は後述する基端部材２７に取付けられ、筒軸線方向先端部が可動部６に取付けられてもよい。また、付勢部７は、コイルスプリング１２に限られない。例えば、付勢部７は、蛇腹状等の弾性部材等であってもよい。
【００２５】
連結部１１は、筒軸線方向に延びる少なくとも１本（図示した場合では４本）のアーム１８を有し、少なくとも１本のアーム１８における筒軸線方向先端側の部分には、それぞれ、係止部８が配置されている。ここで、アーム１８は、図示したように複数設けられることが好ましい。また、複数のアーム１８は、図示したように、周方向に等間隔を空けて配置されていることが好ましい。しかしながら、連結部１１は、このような少なくとも１本のアーム１８を備える構成に限られない。
【００２６】
他のコネクタ３のメスコネクタ部４は、流路を区画する筒状をなしている。メスコネクタ部４の外周面には、メスコネクタ部４の径方向外側に突出する係止突部１９が設けられている。一方、コネクタ１の係止部８は、係止突部１９に係止可能な係止面２０によって構成されている。しかしながら、係止部８は、このような係止面２０に限られない。例えば、係止部８は、他のコネクタ３に高摩擦力によって係止可能な粗面部であってもよい。メスコネクタ部４は、その流路を閉塞可能な弁体を有する構成であってもよい。
【００２７】
以上、説明した本実施形態に係るコネクタ１によれば、図５〜図６に示したように、コネクタ１のオスコネクタ部５を他のコネクタ３のメスコネクタ部４に接続し、可動部６をオスコネクタ部５に対して相対的に、オスコネクタ部５の筒軸線方向先端側に移動させ、付勢部７の付勢力により係止部８を他のコネクタ３に係止させることにより、コネクタ１を他のコネクタ３に取付けることができる。この取付け状態では、他のコネクタ３に係止した係止部８が付勢部７によって筒軸線方向基端側に付勢されるので、オスコネクタ部５がメスコネクタ部４に挿入される方向に付勢されることになる。したがって、コネクタ１によれば、経時、衝撃等によって、オスコネクタ部５とメスコネクタ部４との接続部の緩みや外れが発生することが抑制される。コネクタ１では、係止部８を筒軸線方向基端側に付勢しながら他のコネクタ３に係止させるので、様々な形状や配置の被係止部に係止させることが可能となる。したがって、コネクタ１によれば、接続対象となる他のコネクタ３の形状や構造等の条件を緩和し、汎用性を向上することができる。
【００２８】
コネクタ１によれば、可動部６が、オスコネクタ部５に対して相対的に、筒軸線方向に移動可能となるように基部９に装着された装着部１０を有するので、可動部６の動作を安定したものとすることができる。コネクタ１によれば、装着部１０が包囲体１３であるので、可動部６を簡単な構成で確実に基部９に装着させることができる。コネクタ１によれば、連結部１１がメスコネクタ押圧部１４を有するので、可動部６を筒軸線方向先端側に移動させるだけで係止部８を他のコネクタ３に係止させることができ、操作性を向上することができる。コネクタ１によれば、メスコネクタ押圧部１４が傾斜部１５であるので、他のコネクタ３の被係止部が傾斜部１５のような傾斜部を有していない場合でも、可動部６を筒軸線方向先端側に移動させるだけで係止部８を他のコネクタ３に係止させることができるため、操作性と汎用性を向上することができる。
【００２９】
コネクタ１によれば、連結部１１が突片押圧部１７を有するので、図８に示したように、コネクタ１を他のコネクタ３から取外す際に、可動部６を筒軸線方向先端側に移動させるだけで係止部８を径方向外側に移動させることができる。この状態でオスコネクタ部５をメスコネクタ部４から離脱させることによって、図９に示すように、コネクタ１を他のコネクタ３から取外すことができる。このように、コネクタ１によれば、コネクタ１を他のコネクタ３から取外す際の操作性を向上することができる。
【００３０】
コネクタ１によれば、付勢部７が、突片１６と装着部１０との間に配置されたコイルスプリング１２であるため、構成の簡素化を図ることができる。コネクタ１によれば、連結部１１が少なくとも１本のアーム１８を有するので、係止部８を径方向に安定して移動させることが可能となる。コネクタ１によれば、係止部８が、他のコネクタ３の係止突部１９に係止可能な係止面２０によって構成されているので、係止部８を他のコネクタ３に安定して係止させることができる。
【００３１】
本実施形態に係るコネクタ１又はその種々の変形例は、例えば輸液セットを構成するために用いることができる。図１０に、コネクタ１を備える輸液セットの一例を示す。当該一例としての輸液セット２１は、輸液バッグ等の輸液保持具（図示省略）から留置針（図示省略）までを接続する輸液ラインを構成するためのものである。輸液セット２１は、輸液保持具から供給される輸液剤の流量を視認可能な点滴筒２２と、点滴筒２２に一端が接続されるとともに他端がコネクタ１の基部９に接続されるチューブ２３と、チューブ２３内の輸液剤の流量を調整する調整用クランプ２４と、チューブ２３を閉塞可能な閉塞用クランプ２５と、を備える。なお、輸液セット２１は、少なくともコネクタ１と、チューブ２３と、を備えていればよく、フィルター部材や混注ポート形成部材等の部材が追加されたものであってもよい。
【００３２】
次に、図１１を参照して、本発明の一実施形態に係るコネクタの使用方法について、詳細に例示説明する。本実施形態では、図１〜図９を用いて前述したコネクタ１を用いる場合を例として説明するが、コネクタ１の構成は、前述したように種々変更することができる。
【００３３】
本実施形態に係るコネクタ１の使用方法は、流路２を区画する筒状をなすオスコネクタ部５と、オスコネクタ部５より該オスコネクタ部５の径方向外側に配置され、係止部８を有する可動部６と、可動部６をオスコネクタ部５の筒軸線方向基端側に付勢する付勢部７と、を備えるコネクタ１の使用方法である。本実施形態に係るコネクタ１の使用方法は、コネクタ１を他のコネクタ３に取付ける方法として、図１１に示すように、オスコネクタ部５を、他のコネクタ３が有するメスコネクタ部４に接続させる接続ステップＳ１と、可動部６をオスコネクタ部５に対して相対的に、オスコネクタ部５の筒軸線方向先端側に移動させる移動ステップＳ２と、付勢部７の付勢力により係止部８を他のコネクタ３に係止させる係止ステップＳ３と、を含む。したがって、本実施形態に係るコネクタ１の使用方法によれば、コネクタ１を他のコネクタ３に容易に取付けることができる。
【００３４】
また、本実施形態に係るコネクタ１の使用方法は、移動ステップＳ２において、可動部６の移動に伴いメスコネクタ押圧部１４を筒軸線方向基端側からメスコネクタ部４に対して押圧することで、連結部１１を弾性変形させて係止部８を径方向外側へ移動させるようにしてもよい。
【００３５】
また、本実施形態に係るコネクタ１の使用方法は、コネクタ１を他のコネクタ３から取外す方法として、可動部６をオスコネクタ部５に対して相対的に、オスコネクタ部５の筒軸線方向先端側に移動させることにより、突片押圧部１７を筒軸線方向基端側から突片１６に押圧することで、連結部１１を弾性変形させて係止部８を径方向外側へ移動させる押圧ステップと、該押圧ステップによって係止部８を径方向外側へ移動させた状態でオスコネクタ部５をメスコネクタ部４から離脱させる離脱ステップと、をさらに含んでもよい。このような、コネクタ１を他のコネクタ３から取外す方法によれば、コネクタ１を他のコネクタ３から容易な操作で且つ小さい力で取外すことができる。
【００３６】
また、本実施形態に係るコネクタ１の使用方法は、コネクタ１を他のコネクタ３から取外す他の方法として、係止部８が他のコネクタ３に係止している状態でオスコネクタ部５をメスコネクタ部４から抜脱させる方向に移動させる抜脱ステップと、オスコネクタ部５のメスコネクタ部４からの抜脱に伴い、突片１６を突片押圧部１７に筒軸線方向先端側から押圧することで、連結部１１を弾性変形させて係止部８を径方向外側へ移動させる押圧ステップと、係止部８の径方向外側への移動に伴い、他のコネクタ３に対する係止部８の係止状態を解消し、オスコネクタ部５をメスコネクタ部４から離脱させる離脱ステップと、を含んでもよい。このような、コネクタ１を他のコネクタ３から取外す他の方法によれば、コネクタ１を他のコネクタ３から容易な操作で且つ迅速に取外すことができる。
【００３７】
以下に、図１〜図９に示したコネクタ１及び他のコネクタ３の各部の詳細について説明する。しかしながら、以下に述べる各部の詳細は、本発明を限定するものではなく、あくまで本発明の実施形態の一例を示すものにすぎない。
【００３８】
図１〜図３に示すように、コネクタ１は、先端部材２６と、基端部材２７と、可動筒部材２８と、コイルスプリング１２と、を備える。これらの先端部材２６、基端部材２７、可動筒部材２８及びコイルスプリング１２は、例えば合成樹脂製とすることができる。先端部材２６は、流路２を区画する筒状をなしており、その外周面には円環フランジ状の突片１６が一体に形成されている。基端部材２７は、流路２を区画する筒状をなしている。先端部材２６と基端部材２７とを互いに溶着等によって接合することで、図４に示すように、可動筒部材２８及びコイルスプリング１２を、突片１６の筒軸線方向基端側端面と、基端部材２７の筒軸線方向先端側端面２９と、の間に保持することができる。
【００３９】
先端部材２６における突片１６より筒軸線方向先端側の部分でオスコネクタ部５が構成され、先端部材２６における残りの部分で基部９が構成されている。基端部材２７には、例えば、図１０を用いて説明した輸液セット２１のチューブ２３を接続することができる。図２〜図４に示すように、可動筒部材２８は、中央に円形の開口３０を有するとともに開口３０より径方向外側の部分に間隔を空けて配置された４つの円弧状のスリット３１を有する円板状をなす基端壁部３２を有する。可動筒部材２８は、基端壁部３２の外周縁から筒軸線方向先端側に延在する円筒状をなす筒壁部３３を有する。筒壁部３３には、筒軸線方向先端部から筒軸線方向基端側に延在する複数の直線状の切欠き３４が形成されている。複数の切欠き３４は、円弧状の各スリット３１に対応する周方向位置に、１本ずつのアーム１８を区画している。筒壁部３３で連結部１１が構成され、基端壁部３２で装着部１０が構成されている。このように、可動筒部材２８で可動部６が構成されている。また、コイルスプリング１２で付勢部７が構成されている。コイルスプリング１２の筒軸線方向基端部は、基端壁部３２に当接して該基端壁部３２を筒軸線方向基端側へ付勢している。基端壁部３２は、コイルスプリング１２に付勢された状態で、ストッパ部として機能する基端部材２７の筒軸線方向先端側端面２９に当接している。なお、筒壁部３３の外周面は、凹凸形状を設けることなく、滑らかな表面を有するように形成されている。したがって、筒壁部３３の外周面が、例えば患者の皮膚等の生体表面に長期間接した場合における褥瘡の発生を抑制することができる。
【００４０】
４本のアーム１８の筒軸線方向先端部には、ぞれぞれ、その周方向両端部から径方向内側に突出するとともに縦断面形状が直角三角形となる２つの係止突起３５が一体に形成されている。各係止突起３５は、その傾斜面でメスコネクタ押圧部１４を構成し、垂直面で係止部８を構成している。４本のアーム１８の筒軸線方向基端部には、ぞれぞれ、その周方向中央部から径方向内側に突出するとともに縦断面形状が四角形となる押圧突起３６が一体に形成されている。押圧突起３６における筒軸線方向先端側の面は、突片押圧部１７を構成している。突片押圧部１７は、筒軸線方向基端側に向けて径方向内側へ傾斜している。また、突片１６の筒軸線方向基端側端面の外周縁部は、径方向外側に向けて筒軸線方向先端側へ傾斜している。係止部８は、他のコネクタ３の係止突部１９であるルアーロック用の雄ねじ部２６に係止可能である（図１、図７参照）。メスコネクタ部４はメスルアーとして構成されている。オスコネクタ部５はオスルアーとして構成されている。他のコネクタ３は、カテーテルハブとして構成されている。かかる構成によれば、オスコネクタ部５とメスコネクタ部４との嵌合状態を付勢部７によって保持することができるため、経時、衝撃等によって、オスコネクタ部５とメスコネクタ部４との接続部の緩みや外れが発生することが抑制される。
【００４１】
以上、本発明の様々な実施形態について説明したが、前述したところは本発明の実施形態としての一例を示したにすぎず、発明の要旨を逸脱しない限り、種々の変更を加えてよいことは言うまでもない。例えば、図示した例では、コネクタ１は、先端部材２６と、基端部材２７と、可動筒部材２８と、コイルスプリング１２と、で構成されていたが、コネクタ１の部材構成は適宜変更が可能である。
【符号の説明】
【００４２】
１    コネクタ
２    流路
３    他のコネクタ
４    メスコネクタ部
５    オスコネクタ部
６    可動部
７    付勢部
８    係止部
９    基部
１０  装着部
１１  連結部
１２  コイルスプリング
１３  包囲体
１４  メスコネクタ押圧部
１５  傾斜部
１６  突片
１７  突片押圧部
１８  アーム
１９  係止突部
２０  係止面
２１  輸液セット
２２  点滴筒
２３  チューブ
２４  調整用クランプ
２５  閉塞用クランプ
２６  先端部材
２７  基端部材
２８  可動筒部材
２９  基端部材の筒軸線方向先端側端面
３０  開口
３１  スリット
３２  基端壁部
３３  筒壁部
３４  切欠き
３５  係止突起
３６  押圧突起
Ｏ１  オスコネクタ部の筒軸線
Ｏ２  メスコネクタ部の筒軸線
【図１】
2018062551.tif 000003
【図２】
2018062551.tif 000004
【図３】
2018062551.tif 000005
【図４】
2018062551.tif 000006
【図５】
2018062551.tif 000007
【図６】
2018062551.tif 000008
【図７】
2018062551.tif 000009
【図８】
2018062551.tif 000010
【図９】
2018062551.tif 000011
【図１０】
2018062551.tif 000012
【図１１】
2018062551.tif 000013
【国際調査報告】
2018062551.tif 000014
2018062551.tif 000015
2018062551.tif 000016
2018062551.tif 000017